(57)【要約】  基油と、フラーレンと、を含み、前記フラーレンは、溶解しており、かつ、濃度１質量ｐｐｍ以上５０質量ｐｐｍ未満であるフラーレン含有潤滑油組成物。
2019082883.tif 000002
【特許請求の範囲】
【請求項１】
基油と、フラーレンと、を含み、
前記フラーレンは、溶解しており、かつ、濃度１質量ｐｐｍ以上５０質量ｐｐｍ未満であるフラーレン含有潤滑油組成物。
【請求項２】
前記基油が、鉱物油または合成油である請求項１に記載のフラーレン含有潤滑油組成物。
【請求項３】
前記フラーレンが、Ｃ６０及びＣ７０を含む混合物である請求項１または２に記載のフラーレン含有潤滑油組成物。
【請求項４】
さらに、添加剤を含む請求項１〜３のいずれか１項に記載のフラーレン含有潤滑油組成物。
【請求項５】
請求項１〜４のいずれか１項に記載のフラーレン含有潤滑油組成物の製造方法であって、
基油とフラーレン原料とを混合し、前記フラーレン原料の溶解成分を前記基油中に溶解し、前記基油とフラーレンの混合物を得る工程と、
前記混合物に含まれる不溶成分を除去する工程と、を含むフラーレン含有潤滑油組成物の製造方法。
【請求項６】
さらに、前記不溶成分を除去する工程後に、前記不溶成分を除去する工程で得られたフラーレン含有潤滑油組成物を前記基油で希釈する工程を含む請求項５に記載のフラーレン含有潤滑油組成物の製造方法。
【発明の詳細な説明】
【技術分野】
【０００１】
本発明は、フラーレン含有潤滑油組成物及びその製造方法に関する。
本願は、２０１７年１０月２５日に、日本に出願された特願２０１７−２０６６４６号に基づき優先権を主張し、その内容をここに援用する。
【背景技術】
【０００２】
近年、高速化、高効率化、省エネルギーに伴い、自動車、家電、工業機械等に使用される潤滑油の性能向上が強く求められている。その用途に適するように特性を改善するために、潤滑油には、酸化防止剤、極圧添加剤、錆び止め添加剤、腐食防止剤等様々な添加剤が配合されている。一方、安全性上には、高引火点を有する潤滑剤が求められている。【０００３】
これらの要求に応えるため、低フリクション、トルクアップ、省燃費化といった複数の性能を同時に改善するため、鉱物油やエステル油等の潤滑基油に、ナノカーボン粒子であるフラーレン、有機溶媒、粘度指数向上剤、摩擦調整剤、清浄分散剤を配合したエンジン潤滑油用添加剤組成物が知られている（例えば、特許文献１参照）。【０００４】
また、冷媒圧縮機の摺動部を潤滑させる冷凍機油に、直径が１００ｐｍから１０ｎｍのフラーレンを添加することにより、冷媒圧縮機の摩擦や摩耗を抑制する技術も知られている（例えば、特許文献２参照）。
【先行技術文献】
【特許文献】
【０００５】
【特許文献１】特開２００８−２６６５０１号公報
【特許文献２】国際公開第２０１７／１４１８２５号
【発明の概要】
【発明が解決しようとする課題】
【０００６】
フラーレンは、潤滑基油にはほとんど溶解せず、またナノサイズの粒子であるため、凝集しやすい。したがって、フラーレンを潤滑基油に分散させた状態では、粒子が浮遊や凝集して沈降するため、フラーレンと潤滑基油を含む組成物の性能が不均一になる。そこで、特許文献２に記載された発明では、フラーレンの分散媒として有機溶剤を用いることにより、組成物中において、フラーレン粒子をほぼ均一に分散させている。【０００７】
上記の組成物は、実際の使用条件で安定的に摩擦抵抗を低減する必要がある。しかしながら、特許文献２に記載された発明のように、分散媒として有機溶媒を用いただけでは、充分な効果が得られなかった。【０００８】
本発明は、上記事情に鑑みてなされたものであって、使用時における摩擦抵抗を低減するフラーレン含有潤滑油組成物及びその製造方法を提供することを目的とする。
【課題を解決するための手段】
【０００９】
［１］基油と、フラーレンと、を含み、前記フラーレンは、溶解しており、かつ、濃度１質量ｐｐｍ以上５０質量ｐｐｍであるフラーレン含有潤滑油組成物。
［２］前記基油が、鉱物油または合成油である［１］に記載のフラーレン含有潤滑油組成物。
［３］前記フラーレンが、Ｃ６０及びＣ７０を含む混合物である［１］または［２］に記載のフラーレン含有潤滑油組成物。
［４］さらに、添加剤を含む［１］〜［３］のいずれかに記載のフラーレン含有潤滑油組成物。
［５］［１］〜［４］のいずれかに記載のフラーレン含有潤滑油組成物の製造方法であって、基油とフラーレン原料とを混合し、前記フラーレン原料の溶解成分を前記基油中に溶解し、前記基油とフラーレンの混合物を得る工程と、前記混合物に含まれる不溶成分を除去する工程と、を含むフラーレン含有潤滑油組成物の製造方法。
［６］さらに、前記不溶成分を除去する工程後に、前記不溶成分を除去する工程で得られたフラーレン含有潤滑油組成物を前記基油で希釈する工程を含む［５］に記載のフラーレン含有潤滑油組成物の製造方法。
【発明の効果】
【００１０】
本発明によれば、使用時における摩擦抵抗を低減するフラーレン含有潤滑油組成物及びその製造方法を提供することができる。
【図面の簡単な説明】
【００１１】
【図１】実施例１〜実施例６および比較例１〜比較例６における平均摩擦係数とフラーレンの濃度との関係を示す図である。
【発明を実施するための形態】
【００１２】
以下、本発明を適用したフラーレン含有潤滑油組成物及びその製造方法の実施の形態について説明する。
なお、本実施の形態は、発明の趣旨をより良く理解させるために具体的に説明するものであり、特に指定のない限り、本発明を限定するものではない。
【００１３】
［フラーレン含有潤滑油組成物］
本実施形態のフラーレン含有潤滑油組成物は、基油と、フラーレンと、を含み、前記フラーレンは、溶解しており、かつ、濃度が１ｐｐｍ以上５０ｐｐｍ未満である。
【００１４】
（基油）
本実施形態のフラーレン含有潤滑油組成物に含まれる基油は、特に限定されるものではなく、通常、潤滑油の基油として広く使用されている鉱物油及び合成油が好適に用いられる。
【００１５】
潤滑油として用いられる鉱油は、一般的に、内部に含まれる炭素−炭素二重結合を水素添加により飽和して、飽和炭化水素に変換したものである。このような鉱油としては、パラフィン系基油、ナフテン系基油等が挙げられる。
【００１６】
合成油としては、合成炭化水素油、エーテル油、エステル油等が挙げられる。具体的には、ポリα−オレフィン、ジエステル、ポリアルキレングリコール、ポリアルファオレフィン、ポリアルキルビニールエーテル、ポリブテン、イソパラフィン、オレフィンコポリマー、アルキルベンゼン、アルキルナフタレン、ジイソデシルアジペート、モノエステル、二塩基酸エステル、三塩基酸エステル、ポリオールエステル（トリメチロールプロパンカプリレート、トリメチロールプロパンペラルゴネート、ペンタエリスリトール２−エチルヘキサノエート、ペンタエリスリトールペラルゴネート等）、ジアルキルジフェニルエーテル、アルキルジフェニルサルファイド、ポリフェニルエーテル、シリコーン潤滑油（ジメチルシリコーン等）、パーフルオロポリエーテル等が好適に用いられる。これらの中でも、ポリα−オレフィン、ジエステル、ポリオールエステル、ポリアルキレングリコール、ポリアルキルビニールエーテルがより好適に用いられる。
【００１７】
これらの鉱油や合成油は、１種を単独で用いてもよく、これらの中から選ばれる２種以上を任意の割合で混合して用いてもよい。
【００１８】
（フラーレン）
本実施形態のフラーレン含有潤滑油組成物に含まれるフラーレンは、構造や製造法が特に限定されず、種々のものを用いることができる。フラーレンとしては、例えば、比較的入手しやすいＣ６０やＣ７０、さらに高次のフラーレン、あるいはそれらの混合物が挙げられる。フラーレンの中でも、潤滑油への溶解性の高さの点から、Ｃ６０及びＣ７０が好ましく、潤滑油への着色が少ない点から、Ｃ６０がより好ましい。混合物の場合は、Ｃ６０が５０質量％以上含まれることが好ましい。
【００１９】
本実施形態のフラーレン含有潤滑油組成物は、フラーレンが濃度１質量ｐｐｍ（０．０００１質量％）以上５０質量ｐｐｍ（０．００５質量％）未満の範囲で溶解しており、５質量ｐｐｍ以上２５質量ｐｐｍ以下の範囲で溶解していることが好ましく、７．５質量ｐｐｍ以上２０質量ｐｐｍ以下の範囲で溶解していることがより好ましい。
フラーレンの濃度が上記範囲であれば、フラーレンの添加により、摩擦抵抗低減の効果が期待できるとともに、使用時においても、摩擦抵抗が低い状態を維持することができる。フラーレンの濃度が１質量ｐｐｍ未満では、摩擦抵抗低減の効果が期待できない。一方、フラーレンの濃度が５０質量ｐｐｍ以上となると、使用時において摩擦抵抗が上昇する可能性がある。
【００２０】
使用時において摩擦抵抗が高いということは、例えば、フラーレン含有潤滑油組成物内にフラーレンの凝集物が存在し、これが機械等の摺動部に入り込み、その部分の機械等の金属部分を傷つけ、摩耗させる。これにより、機械等の動作に振動、破損等の不具合が生じる。このような不具合は、摩擦抵抗が高くなることで検知できる。
自動車、家電、工業機械等の摺動部にフラーレン含有潤滑油組成物を存在させて、機械装置を動作した状態にしておくと、摺動部の界面のような極端に圧力が高い領域にフラーレン含有潤滑油組成物が存在する場合、ここに溶解しているフラーレンが凝集物となって徐々に析出し、フラーレン含有潤滑油組成物内に漂う可能性がある。フラーレン含有潤滑油組成物中に凝集物が存在するかどうかは、０．１μｍメッシュのメンブランフィルターで濾過し、濾過前後のフラーレン濃度を比較することにより判断できる。濾過前のフラーレン濃度に対し濾過後のフラーレン濃度が減少した場合は、その減少分が凝集物の濃度と言える。逆に、０．１μｍメッシュのメンブランフィルターで濾過されたフラーレン潤滑油組成物中のフラーレンは溶解しているとみなせる。
つまり、このようなフラーレンの凝集物の生成を抑制し、機械等の不具合の発生を回避するためには、フラーレンが凝集物として析出しないように、フラーレンの飽和濃度に対して、フラーレンの濃度を充分に低くしたフラーレン含有潤滑油組成物により実現できる。
なお、フラーレン含有潤滑油組成物が存在する機械等の摺動部において、摩擦抵抗が高いということは、フラーレン含有潤滑油組成物は潤滑性に劣ることを示す。一方、フラーレン含有潤滑油組成物が存在する機械等の摺動部において、摩擦抵抗が低いということは、フラーレン含有潤滑油組成物は潤滑性に優れることを示す。
【００２１】
（添加剤）
本実施形態のフラーレン含有潤滑油組成物は、基油とフラーレン以外にも、本実施形態の効果を損なわない範囲で、添加剤を含有することができる。
本実施形態のフラーレン含有潤滑油組成物に配合する添加剤は、特に限定されない。添加剤としては、例えば、市販の酸化防止剤、粘度指数向上剤、極圧添加剤、清浄分散剤、流動点降下剤、腐食防止剤、固体潤滑剤、油性向上剤、錆び止め添加剤、抗乳化剤、消泡剤、加水分解抑制剤等が挙げられる。これらの添加剤は、１種を単独で用いてもよく、２種以上を併用してもよい。
【００２２】
添加剤としては、芳香族環を有するものがより好ましい。
芳香族環を有する酸化防止剤としては、例えば、ジブチルヒドロキシトルエン（ＢＨＴ）、ブチルヒドロキシアニソール（ＢＨＡ）、２，６−ジ−ｔｅｒｔ−ブチル−ｐ−クレゾール（ＤＢＰＣ）、３−アリールベンゾフランー２−オン（ヒドロキシカルボン酸の分子内環状エステル）、フェニル−α−ナフチルアミン、ジアルキルジフェニルアミン、ベンゾトリアゾール等が挙げられる。
芳香族環を有する粘度指数向上剤としては、例えば、ポリアルキルスチレン、スチレン-ジエンコポリマーの水素化物添加剤等が挙げられる。
芳香族環を有する極圧添加剤としては、ジベンジルジサルファイド、アリルリン酸エステル、アリル亜リン酸エステル、アリルリン酸エステルのアミン塩、アリルチオリン酸エステル、アリルチオリン酸エステルのアミン塩、ナフテン酸等が挙げられる。
芳香族環を有する清浄分散剤としては、ベンジルアミンコハク酸誘導体、アルキルフェノールアミン類等が挙げられる。
芳香族環を有する流動点降下剤としては、塩素化パラフィン―ナフタレン縮合物、塩素化パラフィンーフェノール縮合物、ポリアルキルスチレン系等が挙げられる。
芳香族環を有する抗乳化剤には、アルキルベンゼンスルホン酸塩等が挙げられる。
芳香族環を有する腐食防止剤としては、ジアルキルナフタレンスルホン酸塩等が挙げられる。
【００２３】
本実施形態のフラーレン含有潤滑油組成物は、後述するフラーレン含有潤滑油組成物の製造方法により製造される潤滑油組成物である。
【００２４】
本実施形態のフラーレン含有潤滑油組成物によれば、基油と、フラーレンと、を含み、前記フラーレンは、溶解しており、かつ、濃度１質量ｐｐｍ以上５０質量ｐｐｍ未満であることにより、摩擦抵抗低減の効果が期待できるとともに、使用時においても、摩擦抵抗が低い状態を維持することができる。
【００２５】
本実施形態のフラーレン含有潤滑油組成物は、工業用ギヤ油；油圧作動油；圧縮機油；冷凍機油；切削油；圧延油、プレス油、鍛造油、絞り加工油、引き抜き油、打ち抜き油等の塑性加工油；熱処理油、放電加工油等の金属加工油；すべり案内面油；軸受け油；錆止め油；熱媒体油等の各種用途に使用することができる。
【００２６】
（製造方法）
本実施形態のフラーレン含有潤滑油組成物の製造方法は、上述の本実施形態のフラーレン含有潤滑油組成物の製造方法であって、基油とフラーレン原料とを混合し、フラーレン原料の溶解成分を基油中に溶解し、基油とフラーレンの混合物を得る工程（以下、「第一工程」という。）と、混合物に含まれる不溶成分を除去し、フラーレン含有潤滑油組成物を得る工程（以下、「第二工程」という。）と、を含む。さらに、本実施形態のフラーレン含有潤滑油組成物の製造方法は、不溶成分を除去する工程後に、所望のフラーレン濃度のフラーレン含有潤滑油組成物を得るために、得られたフラーレン含有潤滑油組成物を基油で希釈する工程（以下、「第三工程」という。）を含んでもよい。
以下、本実施形態のフラーレン含有潤滑油組成物の製造方法を詳細に説明する。
【００２７】
（第一工程）
フラーレン原料を基油に投入して攪拌機等の分散手段を用いて、室温付近または必要に応じて加温しながら３時間〜４８時間の分散処理を施す。
フラーレン原料の仕込み量は、例えば、最終的に調製したいフラーレン含有潤滑油組成物のフラーレン濃度を考慮して、計算上、基油に対して所望のフラーレン濃度が得られるフラーレン量の１．２倍〜５倍、より好ましくは１．２倍〜３倍とする。この範囲であれば、所望のフラーレン濃度を短時間で満たしやすく、かつ、第二工程で不溶成分を除去する負担が軽くて済む。
【００２８】
前記分散手段としては、例えば、撹拌機、超音波分散装置、ホモジナイザー、ボールミル、ビーズミル等が挙げられる。
【００２９】
（第二工程）
第一工程で得られた混合物には、不溶成分として、フラーレン原料由来の不溶物であるフラーレンの凝集物、未溶解のフラーレン、基油の不純物、製造過程で混入した粒子等が含まれる。そのため、その混合物をそのまま用いると、フラーレン含有潤滑油組成物と接触している摺動部等が摩耗する等の不具合が生じることがある。そこで、第一工程の後に、不溶成分を除去する第二工程を設ける。
【００３０】
第二工程としては、例えば、（１）メンブランフィルターを用いた除去工程、（２）遠心分離器を用いた除去工程、（３）メンブランフィルターと遠心分離器を組み合わせて用いる除去工程等が挙げられる。これらの除去工程の中でも、濾過時間の点から、少量のフラーレン含有潤滑油組成物を得る場合は（１）メンブランフィルターを用いた除去工程が好ましく、大量のフラーレン含有潤滑油組成物を得る場合は（２）遠心分離器を用いた除去工程が好ましい。
【００３１】
（１）メンブランフィルターを用いた除去工程では、例えば、第一工程で得られた基油とフラーレンの混合物を、目の小さいメッシュのフィルター（例えば、０．１μｍ〜１μｍメッシュのメンブランフィルター）を用いて濾過し、不純物除去後のフラーレン含有潤滑油組成物として回収する。濾過時間の短縮を図るには、例えば、吸引濾過をすることが好ましい。
【００３２】
（２）遠心分離器を用いた除去工程では、例えば、第一工程で得られた基油とフラーレンの混合物に対して遠心分離処理を施し、上澄みを不溶物除去後の潤滑油組成物として回収する。
【００３３】
（第三工程）
さらに、第二工程後に、第二工程で得られたフラーレン含有潤滑油組成物のフラーレン濃度を測定し、所望のフラーレン濃度のフラーレン含有潤滑油組成物を得るために、第二工程で得られたフラーレン含有潤滑油組成物を基油で希釈する第三工程を含むこともできる。
第三工程で用いられる基油としては、第二工程で得られたフラーレン含有潤滑油組成物に含まれる基油と同種類の基油または異種類の基油が挙げられる。
【００３４】
本実施形態のフラーレン含有潤滑油組成物の製造方法によれば、摩擦抵抗低減の効果が期待できるとともに、使用時においても、摩擦抵抗が低い状態を維持することができるフラーレン含有潤滑油組成物が得られる。
【００３５】
以上、本発明の好ましい実施の形態について詳述したが、本発明は特定の実施の形態に限定されるものではなく、特許請求の範囲内に記載された本発明の要旨の範囲内において、種々の変形・変更が可能である。
【実施例】
【００３６】
以下、実施例および比較例により本発明をさらに具体的に説明するが、本発明は以下の実施例に限定されるものではない。【００３７】
［比較例１］
（潤滑油組成物の調製）
基油として鉱油（製品名：ダイアナフレシア、出光興産株式会社製）１００ｇと、フラーレン原料（フロンティアカーボン株式会社製ｎａｎｏｍ（登録商標）  ｍｉｘ  ＳＴ  Ｃ６０：６０質量％、Ｃ７０：２５質量％、残部が他高次フラーレンの混合物である。）７０ｍｇと、を混合し、室温でスターラーを用いて３６時間撹拌した。
次に、０．１μｍメッシュのメンブランフィルターを通すことで濾過して、フラーレンを含有する潤滑油組成物を得た。得られた潤滑油組成物について、フラーレンの濃度を測定することにより、フラーレンを５００質量ｐｐｍ含有していることを確認した。
なお、フラーレンの濃度測定をＵＶ法で行った。すなわち、紫外可視分光光度計（製品名：ＵＶ−１７００、株式会社島津製作所製）を用いて、潤滑油組成物等の試料をトルエンで吸光度の測定しやすい濃度に希釈し、吸光度（３８１ｎｍ）で検出することにより、試料中のフラーレンの濃度を求めた。なお、検量線は、前記フラーレン原料のトルエン溶液を試料として用い作成した。【００３８】
（潤滑性の評価）
潤滑油組成物について、摩擦摩耗試験機（製品名：ボールオンディスクトライボメーター、Ａｎｔｏｎ  Ｐａａｒ社製）を用いて、潤滑性を評価した。
基板およびボールの材質を高炭素クロム軸受鋼鋼材ＳＵＪ２とした。ボールの直径を６ｍｍとした。
基板の一主面に潤滑油組成物を塗布した。
次に、潤滑油組成物を介して、基板の一主面上にて、ボールが同心円状の軌道を描くように、ボールを摺動させた。基板の一主面上におけるボールの速度を５０ｃｍ／秒、ボールによる基板の一主面に対する荷重を２５Ｎとした。基板の一主面上におけるボールの摺動距離が５００ｍ〜１５００ｍの間の摩擦係数を測定し、その間の平均摩擦係数を算出した。この平均摩擦係数により、潤滑油組成物の潤滑性を評価した。結果を表１に示す。【００３９】
［比較例２］
比較例１の潤滑油組成物を１０ｍＬ取り出し、これを比較例１と同様の基油１０ｍＬで２倍に希釈して、フラーレンを２５０質量ｐｐｍ含有する、比較例２の潤滑油組成物を調製した。
比較例１と同様にして、比較例２の潤滑油組成物の潤滑性を評価した。結果を表１に示す。【００４０】
［比較例３］
比較例２の潤滑油組成物を１０ｍＬ取り出し、これを比較例１と同様の基油１０ｍＬで２倍に希釈して、フラーレンを１２５質量ｐｐｍ含有する、比較例３の潤滑油組成物を調製した。
比較例１と同様にして、比較例３の潤滑油組成物の潤滑性を評価した。結果を表１に示す。【００４１】
［比較例４］
比較例３の潤滑油組成物を１０ｍＬ取り出し、これを比較例１と同様の基油１０ｍＬで２倍に希釈して、フラーレンを６３質量ｐｐｍ含有する、比較例４の潤滑油組成物を調製した。
比較例１と同様にして、比較例４の潤滑油組成物の潤滑性を評価した。結果を表１に示す。【００４２】
［実施例１］
比較例４の潤滑油組成物を１０ｍＬ取り出し、これを比較例１と同様の基油１０ｍＬで２倍に希釈して、フラーレンを３１質量ｐｐｍ含有する、実施例１の潤滑油組成物を調製した。
比較例１と同様にして、実施例１の潤滑油組成物の潤滑性を評価した。結果を表１に示す。【００４３】
［実施例２］
実施例１の潤滑油組成物を１０ｍＬ取り出し、これを比較例１と同様の基油１０ｍＬで２倍に希釈して、フラーレンを１６質量ｐｐｍ含有する、実施例２の潤滑油組成物を調製した。
比較例１と同様にして、実施例２の潤滑油組成物の潤滑性を評価した。結果を表１に示す。【００４４】
［実施例３］
実施例２の潤滑油組成物を１０ｍＬ取り出し、これを比較例１と同様の基油１０ｍＬで２倍に希釈して、フラーレンを７．８質量ｐｐｍ含有する、実施例３の潤滑油組成物を調製した。
比較例１と同様にして、実施例３の潤滑油組成物の潤滑性を評価した。結果を表１に示す。【００４５】
［実施例４］
実施例３の潤滑油組成物を１０ｍＬ取り出し、これを比較例１と同様の基油１０ｍＬで２倍に希釈して、フラーレンを３．９質量ｐｐｍ含有する、実施例４の潤滑油組成物を調製した。
比較例１と同様にして、実施例４の潤滑油組成物の潤滑性を評価した。結果を表１に示す。【００４６】
［実施例５］
実施例４の潤滑油組成物を１０ｍＬ取り出し、これを比較例１と同様の基油１０ｍＬで２倍に希釈して、フラーレンを２．０質量ｐｐｍ含有する、実施例５の潤滑油組成物を調製した。
比較例１と同様にして、実施例５の潤滑油組成物の潤滑性を評価した。結果を表１に示す。【００４７】
［実施例６］
実施例５の潤滑油組成物を１０ｍＬ取り出し、これを比較例１と同様の基油１０ｍＬで２倍に希釈して、フラーレンを１．０質量ｐｐｍ含有する、実施例６の潤滑油組成物を調製した。
比較例１と同様にして、実施例６の潤滑油組成物の潤滑性を評価した。結果を表１に示す。【００４８】
［比較例５］
実施例６の潤滑油組成物を１０ｍＬ取り出し、これを比較例１と同様の基油１０ｍＬで２倍に希釈して、フラーレンを０．５質量ｐｐｍ含有する、比較例５の潤滑油組成物を調製した。
比較例１と同様にして、比較例５の潤滑油組成物の潤滑性を評価した。結果を表１に示す。【００４９】
［比較例６］
比較例５の潤滑油組成物を１０ｍＬ取り出し、これを比較例１と同様の基油１０ｍＬで２倍に希釈して、フラーレンを０．２質量ｐｐｍ含有する、比較例６の潤滑油組成物を調製した。
比較例１と同様にして、比較例６の潤滑油組成物の潤滑性を評価した。結果を表１に示す。【００５０】
【表１】
2019082883.tif 000003
【００５１】
また、表１の結果を図１に示す。図１において、縦軸は平均摩擦係数を示し、横軸はフラーレンの濃度を示す。
表１および図１の結果から、フラーレンの濃度が１質量ｐｐｍ以上５０質量ｐｐｍ未満であれば、フラーレンは溶解状態を保ち、潤滑油組成物は潤滑性に優れることが分かった。また、フラーレンの濃度が１質量ｐｐｍ未満では溶解したフラーレンの効果が十分得られないためか、潤滑油組成物の潤滑性が低くなった。フラーレンの濃度が５０質量ｐｐｍ以上では、溶解しているフラーレンが凝集物となる可能性があり、実際、潤滑油組成物の潤滑性が低くなった。【００５２】
［比較例７］
（潤滑油組成物の調製）
基油としてポリ−α−オレフィン（ＰＡＯ）（製品名：ＳｐｅｃｔｒａＳｙｎ（登録商標）、ＥＸＸＯＮＭＯＢＩＬ社製）１００ｇと、フラーレン原料（フロンティアカーボン株式会社製ｎａｎｏｍ（登録商標）  ｍｉｘ  ＳＴ  Ｃ６０：６０質量％、Ｃ７０：２５質量％、残部が他高次フラーレンの混合物である。）１４ｍｇと、を混合し、室温でスターラーを用いて３０時間撹拌した。
次に、０．１μｍメッシュのメンブランフィルターを通すことで濾過して、フラーレンを含有する潤滑油組成物を得た。得られた潤滑油組成物について、比較例１と同様にして、ＵＶ法でフラーレンの濃度を測定することにより、フラーレンを１００質量ｐｐｍ含有していることを確認した。
比較例１と同様にして、比較例７の潤滑油組成物の潤滑性を評価した。結果を表２に示す。【００５３】
［実施例７］
比較例７の潤滑油組成物を１０ｍＬ取り出し、これを比較例７と同様の基油１０ｍＬで１０倍に希釈して、フラーレンを１０質量ｐｐｍ含有する、実施例７の潤滑油組成物を調製した。
比較例１と同様にして、実施例７の潤滑油組成物の潤滑性を評価した。結果を表２に示す。【００５４】
【表２】
2019082883.tif 000004
【００５５】
表２の結果から、フラーレンの濃度が１０質量ｐｐｍの実施例７の潤滑油組成物は、潤滑性に優れることが分かった。これに対して、フラーレンの濃度が１００質量ｐｐｍの比較例７の潤滑油組成物は、潤滑性が低いことが分かった。【００５６】
［比較例８］
（潤滑油組成物の調製）
基油としてポリオールエステル（ＰＯＥ）（製品名：ユニスター（登録商標）ＨＲ３２、日油株式会社製）１００ｇと、フラーレン原料（フロンティアカーボン株式会社製ｎａｎｏｍ（登録商標）  ｍｉｘ  ＳＴ  Ｃ６０：６０質量％、Ｃ７０：２５質量％、残部が他高次フラーレンの混合物である。）１４ｍｇと、を混合し、室温でスターラーを用いて３８時間撹拌した。
次に、０．１μｍメッシュのメンブランフィルターを通すことで濾過して、フラーレンを含有する潤滑油組成物を得た。得られた潤滑油組成物について、比較例１と同様にして、ＵＶ法でフラーレンの濃度を測定することにより、フラーレンを１００質量ｐｐｍ含有していることを確認した。
比較例１と同様にして、比較例８の潤滑油組成物の潤滑性を評価した。結果を表３に示す。【００５７】
［実施例８］
比較例８の潤滑油組成物を１０ｍＬ取り出し、これを比較例８と同様の基油１０ｍＬで１０倍に希釈して、フラーレンを１０質量ｐｐｍ含有する、実施例８の潤滑油組成物を調製した。
比較例１と同様にして、実施例８の潤滑油組成物の潤滑性を評価した。結果を表３に示す。【００５８】
【表３】
2019082883.tif 000005
【００５９】
表３の結果から、フラーレンの濃度が１０質量ｐｐｍの実施例８の潤滑油組成物は、潤滑性に優れることが分かった。これに対して、フラーレンの濃度が１００質量ｐｐｍの比較例８の潤滑油組成物は、潤滑性が低いことが分かった。
【産業上の利用可能性】
【００６０】
本発明は、基油と、フラーレンと、を含むフラーレン含有潤滑油組成物において、フラーレンは、溶解しており、かつ、濃度１質量ｐｐｍ以上５０質量ｐｐｍ未満であることにより、使用時における摩擦抵抗を低減することができる。従って、本発明は、自動車、家電、工業機械等の摺動部において、金属部分が傷付いたり、摩耗したりすることを抑制するのに有効である。
【図１】
2019082883.tif 000006
【国際調査報告】
2019082883.tif 000007
2019082883.tif 000008
2019082883.tif 000009
2019082883.tif 000010